(57)【要約】【課題】  第三者に計測値の表示を目視されても計測値を認識されることのない計測値表示装置を提供する。【解決手段】  エネルギー又は水資源の消費量又は生成量を計測する計測手段と、前記計測手段により計測した計測値を検針者に表示するための表示手段とを備えた計測値表示装置であって、前記表示手段は、前記計測値を二次元バーコードに変換するコード化手段と、前記二次元バーコードを画面に出力する出力手段とを備えた。【選択図】図１
2008107250.tif 000002
【特許請求の範囲】
【請求項１】
エネルギー又は水資源の消費量又は生成量を計測する計測手段と、前記計測手段により計測した計測値を検針者に表示するための表示手段とを備えた計測値表示装置であって、前記表示手段は、前記計測値を二次元バーコードに変換するコード化手段と、前記二次元バーコードを画面に出力する出力手段とを備えて成ることを特徴とする計測値表示装置。
【発明の詳細な説明】
【技術分野】
【０００１】
本発明は、エネルギー又は水資源の消費量又は生成量を検針者に表示するための計測値表示装置に関するものである。
【背景技術】
【０００２】
家庭で消費されるガス、水道、電力は、それぞれ検針者がガスメーター、水道メーター（例えば特許文献１参照）、電力メーターの表示値を検針することで行っている。また近年、家庭で太陽光等による発電を行い、生成した電力を売電することが行われてきているが、この時、発電量をメーターによって表示したりしている。
【０００３】
このように従来より、エネルギー又は水資源の消費量又は生成量を計測する計測手段と、前記計測手段により計測した計測値を検針者に表示するための表示手段とを備えた計測値表示装置が使用されているが、このものにあっては、検針者が表示手段に表示される計測値を目視して認識することが前提となっており、計測値表示装置にパソコンや外部記憶手段等の機器を接続して計測値データを送受信することは想定されていない。このため、表示手段においては、数字や目盛やこれらに類する表示方法により計測値を表示しており、特定の検針者だけでなく第三者にも目視により計測値を知られる惧れがあり、個人情報保護の観点から好ましいものではなかった。
【特許文献１】特開平６−３３１４０２号公報
【発明の開示】
【発明が解決しようとする課題】
【０００４】
本発明は上記の点に鑑みてなされたものであり、その目的とするところは、第三者に計測値の表示を目視されても計測値を認識されることのない計測値表示装置を提供することを課題とするものである。
【課題を解決するための手段】
【０００５】
上記課題を解決するために請求項１に係る発明にあっては、エネルギー又は水資源の消費量又は生成量を計測する計測手段と、前記計測手段により計測した計測値を検針者に表示するための表示手段とを備えた計測値表示装置であって、前記表示手段は、前記計測値を二次元バーコードに変換するコード化手段と、前記二次元バーコードを画面に出力する出力手段とを備えて成ることを特徴とするものである。
【０００６】
このような構成とすることで、数字や目盛やこれらに類する誰にでも認識可能な表示方法で計測値を表示しなくて済み、特定の検針者以外の第三者に表示手段に表示される二次元バーコードを目視されても、計測値を知られることがない。
【発明の効果】
【０００７】
本発明にあっては、数字や目盛やこれらに類する誰にでも認識可能な表示方法で計測値を表示しなくて済み、特定の検針者以外の第三者に表示手段に表示される二次元バーコードを目視されても計測値を知られることがなく、特定の検針者は二次元バーコードリーダーによってコード化された計測値を読み取ることができ、個人情報の保護を行いながら計測値の読み取りを行うことができる。
【発明を実施するための最良の形態】
【０００８】
以下、本発明を添付図面に示す実施形態に基いて説明する。本発明の計測値表示装置にあっては、主に家庭で消費されるガス、水道、消費電力の量を計測して表示するガスメーター、水道メーター、電力メーターや、家庭での太陽光等による発電量を計測して表示するメーターのように、パソコンや外部記憶手段等の機器を接続して計測値データを送受信することを想定していない計測値表示装置が前提となっている。なお、計測する物理量としては前記ガス、水道、消費電力、発電量に限定されない。
【０００９】
計測値表示装置は、計測手段と、表示手段とで主体が構成される。計測手段は、主に上記ガス、水道、消費電力、発電量のようなエネルギー又は水資源の消費量又は生成量を計測するもので、計測量に応じた電圧又は電流を出力するセンサー部と、センサー部からのアナログの電圧又は電流をデジタル信号に変換するＡ／Ｄ変換部と、前記デジタル信号から計測値を求める演算部と記憶部とを備えており、更にセンサー部からの出力を増幅する増幅部を設けてもよい。
【００１０】
表示手段は、前記計測手段の演算部から出力される計測値（デジタル信号）を二次元バーコードに変換するコード化手段と、前記二次元バーコードを出力表示する画面および該画面に出力表示する出力制御部からなる出力手段とを備えている。コード化手段と出力制御部、上記計測手段の演算部は電子回路で主体が構成されている。画面は、例えば液晶画面からなり、出力制御部からの出力信号に基づいて二次元バーコードを表示する。
【００１１】
二次元バーコードとしては、例えばいわゆるＱＲコードが挙げられるが、その他のコードや独自のコードを用いてもよい。これらの二次元バーコードは、いわゆる二次元バーコードリーダーによって読み取られて、計測値に変換され、表示や記憶がなされる。一実施形態について以下に説明する。
【００１２】
表示手段の画面は４．７インチの３２０×２４０ピクセル、１２行×全角１６列（半角３２列）の表示が行われる。二次元バーコードとしては１３０×１３０ピクセルのＱＲコードを用いる。
【００１３】
コード化する物理量は消費電力量、発電電力量で、一日の消費電力量、発電電力量を毎日コード化してもよいが、本実施形態では一日毎の一ヶ月分の消費電力量、発電電力量をまとめてコード化している。２００６年７月１日〜３１日までの毎日の消費電力量、発電電力量をまとめてコード化する場合、タイトル行として４０文字／行×２行＝８０文字、一日のデータ行として日付５文字、消費電力量３文字、発電電力量３文字、データ区切り３文字の計１４文字、これが３１日分で１４文字／日×３１日＝４３４文字、合計５１４文字が一ヶ月分のデータ量（文字数）である。これをＱＲコードでコード化する場合、型番：１２、誤り訂正レベル：Ｌ、モード：英数字モードでは、６５モジュール要して５３５文字の記録が可能となる。１モジュールあたり２ピクセルを割り当てると、上述した１３０×１３０ピクセルのＱＲコードの表示となる。図１にこのＱＲコードを表示している画面を示し、図２にＱＲコード内のデータの文字列を示し、図３に画面に文字で表示したものを示す。
【００１４】
二次元バーコードリーダーとしては、専用機器のほか、携帯電話端末に内蔵しているものや、デジタルカメラにより撮影した画像をパソコン等のコンピュータ機器で解読するものであってもよい。
【００１５】
以上のような構成によれば、二次元バーコードにて表示するようにしたことで、数字や目盛やこれらに類する誰にでも認識可能な表示方法で計測値を表示しなくて済み、特定の検針者以外の第三者に表示手段に表示される二次元バーコードを目視されても計測値を知られることがなく、特定の検針者は二次元バーコードリーダーによってコード化された計測値を読み取ることができ、個人情報の保護を行いながら計測値の読み取りを行うことができる。
【００１６】
また、二次元バーコードにて表示するようにしたことで、個人情報の保護を行なうのに計測値表示装置にパソコンや外部記憶手段等の機器を接続して計測値データを送受信する必要がなく、パソコンや外部記憶手段等の機器を接続するためのＲＳ２３２ＣやＵＳＢの接続端子及びインターフェース、あるいはＳＤカードやＣＦカードのスロット及びそのドライバーといった機器・ソフトを装備する必要がなく、コスト高となるのが抑えられる。
【００１７】
また、一次元のバーコードでなく二次元のバーコードとしたことで、上記計測値の履歴といったような大量のデータを一つのコードにて表示することができ、また、データの履歴等をパソコンに入力してデータ分析等の処理を行ったりする場合、二次元バーコードリーダーにて読み取ったデータをパソコンに送信すればよく、従来の検針値を紙に記録してパソコン等の機器に手入力する必要もなく作業が煩雑とならない。
【図面の簡単な説明】
【００１８】
【図１】本発明においてＱＲコード表示を行なっている画面を示す。
【図２】同上の発明においてＱＲコードにコード化されたデータの文字列を示す。
【図３】同上の発明においてコード化していないデータを文字にて表示している画面を示す。
【図１】
2008107250.tif 000003
【図２】
2008107250.tif 000004
【図３】
2008107250.tif 000005